(57)【要約】【課題】着座した施療者に対して、特に、大腿部、臀部、腕部の各部位を、簡易な構成で同時にマッサージすることを可能にしたマッサージ機を提供する。【解決手段】本発明に係るマッサージ機１は、施療者が着座する座部１１と、座部１１に着座した施療者の背中を支持する背もたれ部１２と、座部１１の両側に設けられた肘掛部１３とを有する。そして、両肘掛部１３の各内側に、座部１１に着座した施療者の肘から前方領域を挟持すると共に、施療者の大腿部外側から臀部に亘って側方から押圧する挟持体２０を配置し、挟持体２０の内部にエアバック２５を組み込んだことを特徴とする。【選択図】    図４
2006187478.tif 000002
【特許請求の範囲】
【請求項１】
施療者が着座する座部と、座部に着座した施療者の背中を支持する背もたれ部と、前記座部の両側に設けられた肘掛部とを有し、
前記両肘掛部の各内側に、前記座部に着座した施療者の肘から前方領域を挟持すると共に、施療者の大腿部外側から臀部に亘って側方から押圧する挟持体を配置し、
前記挟持体の内部にマッサージ手段を組み込んだことを特徴とするマッサージ機。
【請求項２】
前記マッサージ手段は、エアバックを有することを特徴とする請求項１に記載のマッサージ機。
【請求項３】
前記挟持体は、前記座部に着座した施療者の肘から指先に至る領域を挟持可能な長さを有することを特徴とする請求項１又は２に記載のマッサージ機。
【発明の詳細な説明】
【技術分野】
【０００１】
本発明は、椅子型のマッサージ機に関する。
【背景技術】
【０００２】
従来、椅子型のマッサージ機は、施療者が座部に腰掛け、背もたれ部に背中を当てた状態で、身体の様々な箇所に対して施療を施すことができるようになっている。通常、椅子型のマッサージ機は、椅子の背もたれ部に、転動、揺動等するローラを具備したマッサージユニットを組み込んでおり、施療者の首から臀部近くの腰部に亘ってマッサージを施すように構成したものが一般的である。また、最近では、特許文献１や特許文献２に開示されているように、座部の前方に、脚部（主に膝から下の領域）を載置したりホールドするようにした脚載置部を設けておき、この脚載置部に空気袋（エアバック）を組み込み、空気袋に対して空気を吸排することで脚部領域に対して施療を施す構成も知られている。
【０００３】
さらに、椅子の座部、及び座側面部に空気袋を組み込んでおき、臀部や大腿部の側部に対して施療を施す構成（特許文献１及び特許文献２）、或いは、前腕を入れることができるように、座側面部上方に断面Ｕ字状の腕載置部を配置しておき、ここに空気袋を組み込んでおくことで、前腕部に対して施療を施す構成（特許文献２）も知られている。
【０００４】
このように、最近の椅子型のマッサージ機は、座部に着座した施療者に対して、様々な箇所にマッサージすることができるよう構成されている。
【特許文献１】特開２００４−２６７５６３
【特許文献２】特開２００４−２１６０２９
【発明の開示】
【発明が解決しようとする課題】
【０００５】
上記した公知のマッサージ機は、座部に空気袋を組み込んで臀部に対してマッサージを施し、座部の両側に設けた座側面部に空気袋を組み込んで大腿部の外側に対してマッサージを施し、肘掛部の上部に設けた腕載置部に空気袋を組み込んで前腕部に対してマッサージを施す等、座部に着座した施療者の個々の位置に対応して、椅子の構成部材の様々な箇所にマッサージ機能を有するマッサージ手段（空気袋、ローラ等）を組み込んでいる。
【０００６】
このため、装置全体の制御が複雑化すると共に、マッサージ手段もその分だけ増えてしまい、装置全体のコストが高くなってしまう。
【０００７】
本発明は、上記した問題に着目してなされたものであり、着座した施療者に対して、特に、大腿部、臀部、腕部の各部位を、簡易な構成で同時にマッサージすることを可能にしたマッサージ機を提供することを目的とする。
【課題を解決するための手段】
【０００８】
上記した目的を達成するために、本発明に係るマッサージ機は、施療者が着座する座部と、座部に着座した施療者の背中を支持する背もたれ部と、前記座部の両側に設けられた肘掛部とを有し、前記両肘掛部の各内側に、前記座部に着座した施療者の肘から前方領域を挟持すると共に、施療者の大腿部外側から臀部に亘って側方から押圧する挟持体を配置し、前記挟持体の内部にマッサージ手段を組み込んだことを特徴とする。
【０００９】
上記した構成によれば、座部に着座した施療者が挟持体に腕部を挿入した状態で、マッサージ手段を駆動すると、腕部領域は、挟持体に挟み込まれた状態でマッサージを受けることができ、かつ大腿部外側から臀部に亘る領域は、側方から挟持体が押圧していることから、その部分についても同時にマッサージを受けることが可能となる。すなわち、挟持体に組み込まれている１つのマッサージ手段を駆動することによって、肘から前方領域、及び大腿部の側部から臀部に至る領域を同時にマッサージすることができ、構成部品を少なくして、効率的なマッサージを施すことが可能になる。
【００１０】
なお、マッサージ手段は、挟持体の内部に組み込まれて、施療者の上記した部位にマッサージ効果を与えるものであれば良く、例えば、エアバックによって構成することが可能である。また、挟持体は、腕部のみならず、手首から手先に亘る領域も挟持できる長さに形成しておくことが好ましい。これにより、肘から手先に亘る領域全体をマッサージすることが可能になる。
【発明の効果】
【００１１】
本発明のマッサージ機によれば、着座した施療者に対して、特に、大腿部、臀部、腕部の各部位を、簡易な構成で同時にマッサージすることが可能になる。
【発明を実施するための最良の形態】
【００１２】
以下、本発明の一実施形態を、図１〜図３を参照して具体的に説明する。  
これらの図において、図１は、マッサージ機の全体構成を示す斜視図、図２（ａ）は、マッサージ機の肘掛部の内側に設置される挟持体に組み込まれるマッサージ手段の構成例を示す図、図２（ｂ）は、その変形例を示す図、そして、図３は、図２に示したマッサージ手段（エアバック）に空気を吸入した状態を示す図である。
【００１３】
本実施形態に係るマッサージ機１は、椅子型として構成されており、その本体１０は、施療者が着座する座部１１と、座部１１に着座した施療者の背中を支持するよう、座部１１の後方に設けられた背もたれ部１２と、座部１１の両側に設けられ、所定の高さを有する肘掛部１３と、座部１１の前方に設けられ、座部１１に着座した施療者の両脚部を保持する脚保持部１５とを備えている。
【００１４】
これらの椅子を構成する各構成要素には、従来のマッサージ機と同様、着座した施療者に対してマッサージを施すマッサージユニットが組み込まれている。すなわち、詳細に図示しないが、背もたれ部１２の内部には、転動、揺動等するローラを具備したマッサージユニット（図示せず）が組み込まれている。また、それ以外の箇所にマッサージユニットを組み込んでいても良く、例えば、脚保持部１５に、脚部に対してマッサージを施すように、エアバック等のマッサージユニット（図示せず）を組み込んでおいても良い。
【００１５】
そして、上記した座部１１の両端には、両肘掛部１３の内側において、肘掛部１３の高さ方向に向けて突出するように、一対の挟持部２０ａ，２０ｂを具備した挟持体２０が設置されている。挟持体２０は、変形可能な材料、例えば、レザー、樹脂、繊維状の物質で形成されており、各挟持部２０ａ，２０ｂは、内部にマッサージ手段を組み込むように袋状に構成されている。また、挟持部２０ａ，２０ｂは、基端側が夫々縫着、接着等されており、上方側が開口して、腕部が挿入されるように隙間２０ｄが形成されている。
【００１６】
前記各挟持部２０ａ，２０ｂは、肘掛部１３の上面１３ａに沿うように前後方向に伸びており、これに伴って両者の間に形成される隙間２０ｄも前後方向に沿って伸びている。すなわち、隙間２０ｄは、肘掛部１３の上面１３ａに隣接しており、肘掛部に載置した腕がそのまま挿入できるようになっている。この場合、各挟持部２０ａ，２０ｂは、隙間２０ｄが所定の深さを有するように互いに逢着等されており、隙間２０ｄに腕部全体が収容できる程度に構成されている。
【００１７】
上記した構成では、挟持部２０ａの外側全体が肘掛部１３の内側壁に当て付き、挟持部２０ｂの内側（特に、その下方領域）が、座部１１に着座した施療者の大腿部の外側に当て付くように装着されている。
【００１８】
そして、図２（ａ）に示すように、袋状に構成された各挟持部２０ａ，２０ｂの内部には、マッサージ手段としてのエアバック２５が組み込まれている。組み込まれた各エアバック２５には、吸排管３０が接続されており、吸排管３０は、本体１０に設置される吸排手段（コンプレッサ等）３１に接続されている。この場合、吸排手段３１は、所定の動作プログラムを格納した制御部４０によって、各エアバックに対する吸排のタイミングや空気の供給／排出レベル等が制御されるようになっており、実際の制御は、公知技術と同様、施療者によって操作されるコントローラ５０によって行われるよう構成されている。
【００１９】
なお、制御部４０には、上記した吸排手段３１以外にも、本体１の適所に組み込まれる各マッサージユニットの駆動部材（ローラ等を駆動するアクチュエータＡ，アクチュエータＢ…）が接続されており、上記同様、コントローラ５０の操作によって、その動作が制御されるようになっている。また、吸排手段３１には、上記したエアバック２５以外のエアバック（座部１１や脚保持部１５等に組み込まれる）が接続されて、同様に、その動作が制御されるようになっていても良い。
【００２０】
上記したように構成される挟持体２０の各挟持部２０ａ，２０ｂに組み込まれたエアバック２５に対して空気を吸排すると、図３で示すように各挟持部が幅方向に沿って膨張／収縮するようになり、座部に着座した施療者に対して、複数の箇所にマッサージ効果を付与することが可能になる。
【００２１】
すなわち、図４に示すように、座部１１に着座した施療者が挟持体２０の隙間２０ｄに腕部を挿入した際、その腕部に対して挟持体２０の上部は、両側から包み込むようにしてマッサージ効果を与えることが可能となる（矢印Ｍ１）。また、挟持体２０の長さを、肘から指先までが挿入できる程度の長さに形成しておくことで、腕部のみならず、手のひらや指先に対しても同様なマッサージ効果を与えることが可能になる（矢印Ｍ２）。また、施療者の大腿部の外側、及び臀部に至る領域は、挟持体２０挟持部２０ｂの下部領域によって押圧されている状態にあることから、挟持部２０ｂによる押圧作用によって、マッサージ効果を与えることが可能になる（矢印Ｍ３、Ｍ４）。
【００２２】
以上のような構成のマッサージ機によれば、１つのマッサージ手段（エアバック２５）を組み込んだ挟持体２０によって、施療者の腕（手先を含んでいても良い）、及び、大腿部から臀部に至る領域を同時にマッサージすることが可能になるため、マッサージ手段の設置個数が減少すると共に、装置全体の構成を簡略化することができ、また、これに伴い装置全体の制御も簡略化して、コストを低減することが可能となる。すなわち、１つのマッサージ手段によって、複数箇所に施療を与えることから、装置全体のマッサージ手段の配置、構成を簡略化することが可能になる。
【００２３】
以上、本発明の実施形態について説明したが、本発明は、上記した実施形態に限定されることはなく、種々変形することが可能である。例えば、上記したマッサージ手段については、エアバックによって構成したが、マッサージ効果を与えることができれば、挟持体の内部には、エアバック以外にも、ローラを組み込んだり、振動を与えるもの等、様々なマッサージ手段を組み込むことが可能である。また、エアバックについては、上記した実施形態では、図２（ａ）に示したように、各挟持部２０ａ，２０ｂに、夫々１つのエアバック２５を組み込むようにしたが、例えば、図２（ｂ）に示すように、各挟持部に複数のエアバック２５ａ，２５ｂを組み込むようにしても良い。このように、複数のエアバックを組み込むことによって、異なる態様のマッサージ効果を与えることが可能になる。
【図面の簡単な説明】
【００２４】
【図１】マッサージ機の全体構成を示す斜視図。
【図２】（ａ）は、マッサージ機の肘掛部の内側に設置される挟持体に組み込まれるマッサージ手段の構成例を示す図、（ｂ）は、その変形例を示す図。
【図３】マッサージ手段（エアバック）に空気を吸入した状態を示す図。
【図４】着座した施療者に対してマッサージを施す状態を示す図。
【符号の説明】
【００２５】
１  マッサージ機
１０  本体
１１  座部
１２  背もたれ部
１３  肘掛部
２０  挟持体
２０ａ，２０ｂ  挟持部
２０ｄ  隙間
２５  エアバック（マッサージ手段）
【図１】
2006187478.tif 000003
【図２】
2006187478.tif 000004
【図３】
2006187478.tif 000005
【図４】
2006187478.tif 000006